(57)【要約】  【課題】立体交差の高架道路のアプローチ部、或いはインターチエンジのアプローチ部等を急速施工する構築方法を提供する。  【解決手段】中空構造で一定の材軸長さを有するプレキャストコンクリートブロック１を中空部が水平方向の向きとなる配置で基礎コンクリート２上に複数段積み重ねアプローチ部Ｃの傾斜面を形成する。プレキャストコンクリートブロック１はその垂直壁１１が柱構造となる構成とし、上下のプレキャストコンクリートブロック１、１は各々の垂直壁１１が上下方向に一枚板を形成する配置に積み重ね、各プレキャストコンクリートブロック１…を相互に一体化させる。プレキャストコンクリートブロック１を複数段積み重ねて形成したアプローチ部Ｃの傾斜面は最終的にコンクリート打設や路盤材、舗装材等の敷設により路面を完成する。【選択図】図１
2006028758.tif 000002
【特許請求の範囲】
【請求項１】
高架道路等のアプローチ部を構築する方法において、
中空構造で一定の材軸長さを有するプレキャストコンクリートブロックを前記中空部が水平方向の向きとなる配置で基礎コンクリート上に複数段積み重ねアプローチ部の傾斜面を形成すること、
前記プレキャストコンクリートブロックはその垂直壁が柱構造となる構成とし、上下のプレキャストコンクリートブロックは各々の垂直壁が上下方向に一枚板を形成する配置に積み重ね、各プレキャストコンクリートブロックを相互に一体化させること、
前記プレキャストコンクリートブロックを複数段積み重ねて形成したアプローチ部の傾斜面は最終的にコンクリート打設や路盤材、舗装材等の敷設により路面を完成すること、
を特徴とする、高架道路等のアプローチ部構築方法。
【請求項２】
各プレキャストコンクリートブロックは上下の積み重ね部位に相互に嵌り合う凹部と凸部を備え、前記の凹部と凸部を嵌め合わせて相互に一体化させることを特徴とする、請求項１に記載した高架道路等のアプローチ部構築方法。
【請求項３】
高架道路等のアプローチ部を構築する方法において、
中空構造で一定の材軸長さを有するプレキャストコンクリートブロックを前記中空部が水平方向の向きとなる配置で基礎コンクリート上に複数段積み重ねアプローチ部の傾斜面を形成すること、
前記プレキャストコンクリートブロックはその垂直壁が柱構造となる構成とし、上下のプレキャストコンクリートブロックは各々の垂直壁が上下方向に一枚板を形成する配置に積み重ねること、
プレキャストコンクリートブロックの垂直壁の外面及び擁壁部の外面にスタッドの如き応力伝達部材を突き出させ、複数段積み重ねたプレキャストコンクリートブロックの相互間に形成された空洞部に固結材を密実に充填し、前記応力伝達部材を仲介として各プレキャストコンクリートブロックを相互に一体化させること、
前記プレキャストコンクリートブロックを複数段積み重ねて形成したアプローチ部の傾斜面は最終的にコンクリート打設や路盤材、舗装材等の敷設により路面を完成すること、
を特徴とする、高架道路等のアプローチ部構築方法。
【請求項４】
高架道路等のアプローチ部を構築する方法において、
中空構造で一定の材軸長さを有するプレキャストコンクリートブロックを前記中空部が水平方向の向きとした配置で基礎コンクリート上に複数段積み重ねてアプローチ部の傾斜面を形成すること、
前記プレキャストコンクリートブロックはその垂直壁が柱構造となる構成とし、上下のプレキャストコンクリートブロックは各々の垂直壁が上下方向に一枚板を形成する配置に積み重ねること、
複数段積み重ねたプレキャストコンクリートブロックにおいて上下方向に一枚板を形成する配置で積み重ねられた垂直壁及び擁壁部中の上下方向に最下端から最上端までシース管付きＰＣ鋼線又は鋼棒を共通に貫通させ、このシース管付きＰＣ鋼線又は鋼棒で最終的にプレストレスを導入して各プレキャストコンクリートブロックを相互に緊結すること、
前記プレキャストコンクリートブロックを複数段積み重ねて形成したアプローチ部の傾斜面は最終的にコンクリート打設や路盤材、舗装材等の敷設により路面を完成すること、
を特徴とする、高架道路等のアプローチ部構築方法。
【請求項５】
プレキャストコンクリートブロックは、その水平壁が水平方向に隣接するもの同士で一枚板を形成する配置に積み重ね、水平方向に隣接するプレキャストコンクリートブロックにおいて前記一枚板を形成する配置の水平壁中に、シース管付きＰＣ鋼線又は鋼棒を、一方のアプローチ部外壁面から他方のアプローチ部外壁面まで道路横断方向に共通に貫通させ、このシース管付きＰＣ鋼線又は鋼棒で最終的にプレストレスを導入し各プレキャストコンクリートブロックを相互に緊結することを特徴とする、請求項４に記載した高架道路等のアプローチ部構築方法。
【請求項６】
上下に積み重ねるプレキャストコンクリートブロックは、各々の積み重ね部に予め用意した垂直な位置決めピンを共通に通して横ズレを防ぐことを特徴とする、請求項４又は５に記載した高架道路等のアプローチ部構築方法。
【請求項７】
プレキャストコンクリートブロックは、材軸方向に均等断面の中空構造体、材軸方向にアプローチ部の傾斜面に等しい勾配を有する変断面の中空構造体、或いは一側の垂直壁を延長して垂直に立ち上がる擁壁部を有し材軸方向に均等断面の擁壁型中空構造体、又は同じく一側の垂直壁を延長して垂直に立ち上がる擁壁部を有し材軸方向にアプローチ部の傾斜面に等しい勾配を有する変断面の擁壁型中空構造体、若しくは材軸方向にアプローチ部の平面的な曲がりに等しい曲がり形態の中空構造体等々を組み合わせて複数段積み重ねてアプローチ部の傾斜面を形成することを特徴とする、請求項１〜６のいずれか一に記載した高架道路等のアプローチ部構築方法。
【請求項８】
プレキャストコンクリートブロックには、その垂直壁と水平壁とが形成する上下の外隅部のいずれか一方に、各プレキャストコンクリートブロックの水平壁が水平方向に隣接するもの同士で一枚板を形成する積み重ねを可能にする段差部を有し、前記段差部を利用した積み重ねを行うことを特徴とする、請求項４又は５又は６若しくは７に記載した高架道路等のアプローチ部構築方法。
【請求項９】
各プレキャストコンクリートブロックは、材軸方向に隣接する部位に各ブロックの材軸方向端部に上下に互い違いに噛み合う相欠きを備え、材軸方向に隣接するプレキャストコンクリートブロック同士は前記相欠きを重ね合わせて段継ぎすることを特徴とする、請求項１〜８のいずれか一に記載した高架道路等のアプローチ部構築方法。
【発明の詳細な説明】
【技術分野】
【０００１】
この発明は、立体交差の高架道路のアプローチ部、或いはインターチエンジのアプローチ部等を急速施工する構築方法の技術分野に属する。
【背景技術】
【０００２】
都市部の交通渋滞の解消を目的とする交差点の立体化工事は、必然的に工事期間中の交通規制を伴うので、可能なかぎり交通規制を短期間に緩和、解消できる急速施工法、急速な構築方法の開発が急がれている。現状、立体交差の高架道路の急速な施工法や構築方法に関しては、下記の特許文献１〜３及び下記の非特許文献１が既に公知である。
【０００３】
アプローチ部を急速施工する構築方法の技術に的を絞って概観した場合、先ず特許文献１には、とりあえず軽量盛り土材料を積み上げ、その上に床版を構築して立体交差道路を構築する。その後、前記軽量盛り土材料の一部を撤去して、そこに床版支持用の杭及び柱を構築して床版支持の盛り替えを順次行ってゆき、無用になった軽量盛り土材料を撤去して一方向の高架道路を完成する。次に、他方向の道路用としてオープンカットの地下部を掘削し、やはり道路を完成すると記載されている。しかし、この方法は仮設物が多く、工期の短縮にいかほどの効果を得られるのか不明といわねばならない。ひいては具体的な実施の可能性にも疑問がある。
【０００４】
特許文献２、３に開示された立体交差道路の施工方法は、アプローチ部を含むいわゆる盛り土部分を、直方体形状の発泡樹脂ブロックの積層構造体を多段に積み重ね、かつ垂直方向に通した鋼棒に緊張力を与えてプレストレスを導入した上で緊結して構築する。そして、前記発泡樹脂ブロックの積層構造体を積み重ねて階段状に形成したアプローチ部の傾斜面（路面）は、前記発泡樹脂ブロックの積層構造体の上面にプレキャストコンクリート床版を路床として敷き、その上にアスファルト舗装を行う。軽量で簡素な構成であり、工期を短縮できると説明されている。しかし、路床を構成する発泡樹脂ブロックの積層構造体が、恒久的施設であるべき高架道路として十分な耐久性を発揮するかは疑問である。
【０００５】
下記の非特許文献１には、高架道路のアプローチ部を、中空のサイコロ形状をなす超軽量コンクリートブロックを繋ぎ用の十字ブロックを用いて積み上げて完成する技術が開示されている。この方法は、完成時の実質的な単位体積重量が小さいことは理解できるとしても、どれほどの急速施工を可能にするものか、および超軽量コンクリートブロックが道路構造体として十分な安定性、耐久性を発揮するものかの点に疑問がある。
【０００６】
【特許文献１】特開２００１−２０７４０１号公報
【特許文献２】特開２００４−１３７６６９号公報
【特許文献３】特開２００４−１３７６７１号公報
【非特許文献１】２００４年４月発行の月刊誌「土木技術５９巻４号」の２４頁〜２９頁「交差点立体化の急速施工  ＲＥＦＯ工法」
【発明の開示】
【発明が解決しようとする課題】
【０００７】
本発明の主たる目的は、立体交差の高架道路のアプローチ部、或いはインターチエンジのアプローチ部等の構築を短工期で急速施工できる構築方法を提供することである。
本発明の目的は、中空構造で材軸長さが１０ｍ前後の大型プレキャストコンクリートブロックを複数段積み重ねてアプローチ部の傾斜面を急速施工する構築方法であり、プレキャストコンクリートブロックは、その垂直壁が上下方向に一枚板状の柱構造となり、積み重ねた各プレキャストコンクリートブロックを相互に一体化処理することにより恒久的施設として安定なアプローチ部を短工期に簡単な技術で施工できる構築方法を提供することである。
本発明の更なる目的は、使用する大型のプレキャストコンクリートブロックの選択により、アプローチ部の傾斜面の勾配や平面形状（曲がりや旋回形状等）に自在に対応でき、短工期に簡単な技術で施工できる構築方法を提供することである。
【課題を解決するための手段】
【０００８】
上記の課題を解決するための手段として、請求項１に記載した発明に係る高架道路等のアプローチ部構築方法は、
中空構造で一定の材軸長さを有するプレキャストコンクリートブロック１を前記中空部が水平方向の向きとなる配置で基礎コンクリート２上に複数段積み重ねアプローチ部Ｃの傾斜面を形成すること、
前記プレキャストコンクリートブロック１はその垂直壁１１が柱構造となる構成とし、上下のプレキャストコンクリートブロック１、１は各々の垂直壁１１が上下方向に一枚板を形成する配置に積み重ね、各プレキャストコンクリートブロック１…を相互に一体化させること、
前記プレキャストコンクリートブロック１を複数段積み重ねて形成したアプローチ部Ｃの傾斜面は最終的にコンクリート打設や路盤材、舗装材等の敷設により路面を完成することを特徴とする。
【０００９】
請求項２に記載した発明は、請求項１に記載した高架道路等のアプローチ部構築方法において、
各プレキャストコンクリートブロック１は、上下の積み重ね部位に相互に嵌り合う凹部４０と凸部４１を備えており、前記の凹凸部を嵌め合わせて相互に一体化させることを特徴とする。
【００１０】
請求項３に記載した発明に係る高架道路等のアプローチ部構築方法は、
中空構造で一定の材軸長さを有するプレキャストコンクリートブロック１を前記中空部が水平方向の向きとなる配置で基礎コンクリート２上に複数段積み重ねアプローチ部Ｃの傾斜面を形成すること、
前記プレキャストコンクリートブロック１はその垂直壁１１が柱構造となる構成とし、上下のプレキャストコンクリートブロック１、１は各々の垂直壁１１が上下方向に一枚板を形成する配置に積み重ねること、
プレキャストコンクリートブロック１の垂直壁１１の外面及び擁壁部１０の外面にスタッドの如き応力伝達部材３０を突き出させ、複数段積み重ねたプレキャストコンクリートブロックの相互間に形成された空洞部に固結材３１を密実に充填し、前記応力伝達部材３０を仲介として各プレキャストコンクリートブロック１…を相互に一体化させること、
前記プレキャストコンクリートブロック１を複数段積み重ねて形成したアプローチ部Ｃの傾斜面は最終的にコンクリート打設や路盤材、舗装材等の敷設により路面を完成することを特徴とする。
【００１１】
請求項４に記載した発明に係る高架道路等のアプローチ部構築方法は、
中空構造で一定の材軸長さを有するプレキャストコンクリートブロック１を前記中空部が水平方向の向きとした配置で基礎コンクリート２上に複数段積み重ねてアプローチ部Ｃの傾斜面を形成すること、
前記プレキャストコンクリートブロック１はその垂直壁１１が柱構造となる構成とし、上下のプレキャストコンクリートブロック１は各々の垂直壁１１が上下方向に一枚板を形成する配置に積み重ねること、
複数段積み重ねたプレキャストコンクリートブロック１において上下方向に一枚板を形成する配置で積み重ねられた垂直壁１１及び擁壁部１０中の上下方向に最下端から最上端までシース管付きＰＣ鋼線又は鋼棒１４を共通に貫通させ、このシース管付きＰＣ鋼線又は鋼棒１４で最終的にプレストレスを導入して各プレキャストコンクリートブロックを相互に緊結すること、
前記プレキャストコンクリートブロック１を複数段積み重ねて形成したアプローチ部Ｃの傾斜面は最終的にコンクリート打設や路盤材、舗装材等の敷設により路面を完成することを特徴とする。
【００１２】
請求項５に記載した発明は、請求項４に記載した高架道路等のアプローチ部構築方法において、
プレキャストコンクリートブロック１は、その水平壁１２が水平方向に隣接するもの同士で一枚板を形成する配置に積み重ね、水平方向に隣接するプレキャストコンクリートブロック１…において前記一枚板を形成する配置の水平壁１２中に、シース管付きＰＣ鋼線又は鋼棒１８を、一方のアプローチ部外壁面から他方のアプローチ部外壁面まで道路横断方向に共通に貫通させ、このシース管付きＰＣ鋼線又は鋼棒１８で最終的にプレストレスを導入した上で各プレキャストコンクリートブロック１…を相互に緊結することを特徴とする。
【００１３】
請求項６に記載した発明は、請求項４又は５に記載した高架道路等のアプローチ部構築方法において、
上下に積み重ねるプレキャストコンクリートブロック１は、各々の積み重ね部に予め用意した垂直な位置決めピン１３を共通に通して横ズレを防ぐことを特徴とする。
【００１４】
請求項７に記載した発明は、請求項１〜６のいずれか一に記載した高架道路等のアプローチ部構築方法において、
プレキャストコンクリートブロック１は、材軸方向に均等断面の中空構造体１ａ、１ｅ、又は材軸方向にアプローチ部Ｃの傾斜面に等しい勾配を有する変断面の中空構造体１ｂ、或いは一側の垂直壁１１を延長して垂直に立ち上がる擁壁部１０を有し材軸方向に均等断面の擁壁型中空構造体１ｃ、又は同じく一側の垂直壁１１を延長して垂直に立ち上がる擁壁部１０を有し材軸方向にアプローチ部Ｃの傾斜面に等しい勾配を有する変断面の擁壁型中空構造体１ｄ、若しくは材軸方向にアプローチ部Ｃの平面的な曲がりに等しい曲がり形態の中空構造体１ｆ等々を組み合わせて複数段積み重ねアプローチ部Ｃの傾斜面を形成することを特徴とする。
【００１５】
請求項８に記載した発明は、請求項４又は５又は６若しくは７に記載した高架道路等のアプローチ部構築方法において、
プレキャストコンクリートブロック１には、その垂直壁１１と水平壁１２とが形成する上下の外隅部のいずれか一方に、各プレキャストコンクリートブロック１の水平壁１２が水平方向に隣接するもの同士において一枚板を形成する積み重ねを可能にする段差部１６を有し、前記段差部１６を利用した積み重ねを行うことを特徴とする。
【００１６】
請求項９に記載した発明は、請求項１〜８のいずれか一に記載した高架道路等のアプローチ部構築方法において、
各プレキャストコンクリートブロック１は、材軸方向に隣接する部位に各ブロック１の材軸方向端部に上下に互い違いに噛み合う相欠き２０を備え、材軸方向に隣接するプレキャストコンクリートブロック１、１同士は前記相欠き２０を重ね合わせて段継ぎすることを特徴とする。
【発明の効果】
【００１７】
本発明は、立体交差の高架道路等の特にアプローチ部Ｃを、中空構造で材軸方向長さが１０ｍ前後に及ぶ大型プレキャストコンクリートブロック１を複数段積み重ねて構築する方法であり、プレキャストコンクリートブロック１はコンクリート工場で品質と能率の良い製作を行い、現場ではクレーン等の重機を使用して順次に複数段積み重ねる作業でアプローチ部の傾斜面を施工するから、既往の盛り土方式に比較して各段に短工期の急速施工を実現できる。
よって、特に都市部の交通渋滞の解消を目的とする交差点の立体化工事における工事期間中の交通規制を短期間に緩和、解消することに寄与するところが大である。
【００１８】
本発明の構築方法は、中空構造で材軸長さが１０ｍ前後の大型プレキャストコンクリートブロックを複数段積み重ねてアプローチ部の傾斜面を急速施工するのみならず、プレキャストコンクリートブロックの垂直壁が上下方向に一枚板状の柱構造となり、積み重ねた各プレキャストコンクリートブロックを相互に一体化処理するから、恒久的施設として安定なアプローチ部を短工期に簡単な技術で施工できる。
しかも使用する大型プレキャストコンクリートブロックの選択により、アプローチ部の傾斜面の勾配や平面形状（曲がりや旋回形状等）に自在に対応して短工期に簡単な技術で構築できるのである。
【発明を実施するための最良の形態】
【００１９】
中空構造で一定の材軸長さを有するプレキャストコンクリートブロック１を前記中空部が水平方向の向きとなる配置で基礎コンクリート２上に複数段積み重ねてアプローチ部の傾斜面を形成する。
前記プレキャストコンクリートブロック１はその垂直壁１１が柱構造となる構成とし、上下のプレキャストコンクリートブロック１、１は各々の垂直壁１１が上下方向に一枚板を形成する配置に積み重ね、各プレキャストコンクリートブロック１…を相互に一体化させる。
前記プレキャストコンクリートブロック１…を複数段積み重ねて形成したアプローチ部の傾斜面は最終的にコンクリート打設や路盤材、舗装材等の敷設により路面を完成する。
【実施例１】
【００２０】
以下に、図示した本発明の実施例を説明する。
先ず図１は、立体交差の高架道路の全景を示す。中央の交差点部Ａの左右両側に高架の側径間部Ｂが設けられ、両端部にアプローチ部Ｃが形成されている。
図２〜図４は上記アプローチ部Ｃの施工要領を概念的に示している。
中空構造で、平均して１０ｍ程度の材軸長さを有する大型で鉄筋コンクリート造のプレキャストコンクリートブロック１（以下、単にブロック又はＰＣａブロックという場合がある。）を、その中空部が水平方向の向きとなる配置で、予め施工した基礎コンクリート２上に複数段積み重ねてアプローチ部Ｃの傾斜面を形成する。
この場合、設計されたアプローチ部Ｃの傾斜面および平面形状（曲がりや旋回形状）をを形成するために用意した、一例として図１１Ａ〜Ｆに示したような複数種類の形態（もちろん、これらの形態はほんの一部分でしかない。）のプレキャストコンクリートブロック１ａ〜１ｆを適宜に組み合わせて複数段積み重ねる。その具体的な手法、態様は以下に順次説明するが、本発明の基本原理は、工場で高品質、高精度に能率良く生産した大型のプレキャストコンクリートブロック１…を現地で積み重ねる手法である。よって既往の盛り土工法に比較すれば、各段の急速施工であり、短工期の工事で済むのである。図４中の符号３は上記側径間部Ｂの終端に位置する橋脚を指す。
【００２１】
図５Ａ〜Ｃと図６Ａ、Ｂは、図３中に指示した切断矢印Ｉ〜Ｖ位置の概略断面形状を示している。図５Ａ〜Ｃと図６Ａ、Ｂにおいて特に理解されたい点は、一例を図５Ａ中に点線図示と符号Ｋで誇張して表現したように、各プレキャストコンクリートブロック１…は等しく、その垂直壁が柱構造となる構成とし、上下のプレキャストコンクリートブロック１、１は各々の垂直壁１１（但し、下記する擁壁部１０であるを含む。以下同じ。）を上下方向に一枚板を形成する配置で積み重ねる点である。
【００２２】
具体的に説明すると、本発明の構築方法で使用するＰＣａブロック１の基本形状は、横断面が中空の四角形とされ、材軸方向には平均１０ｍと長く、その中空部が水平方向の向きとなる配置で積み重ねる。アプローチ部Ｃの両外側の外壁面を形成する位置には、外側の垂直壁１１を延長して垂直に立ち上がる擁壁部１０を有する擁壁型中空構造体１ｃ又は１ｄ（図１１）を使用する。その際、アプローチ部Ｃの外壁面の下段ないし中段の位置には、材軸方向に均等断面の擁壁型中空構造体１ｃを使用する。最上段には材軸方向にアプローチ部Ｃの傾斜面に等しい勾配を有する変断面の擁壁型中空構造体１ｄを用いる。
【００２３】
アプローチ部Ｃの道路幅方向の中間部には、上記の擁壁部を持たず、横断面が中空の四角形とされ、材軸方向に長いＰＣａブロック１ａ、１ｂ、１ｅ、１ｆなどを使用する。これらのブロックは、下位の二つのブロック間に跨り、丁度上下のブロックの垂直壁１１が上下方向に一枚板を形成する配置に積み重ねる。その際、アプローチ部Ｃの下段ないし中段の位置には、材軸方向に均等断面の中空構造体１ａ又は１ｅを使用する。最上段には、材軸方向にアプローチ部Ｃの傾斜面に等しい勾配を有する変断面の中空構造体１ｂを用いて積み重ねる。
【００２４】
積み重ね構造の更に詳細な構成を、以下に説明する。
図７Ａ、Ｂに示した実施例は、請求項１、２の発明に係るもので、中空構造で一定の材軸長さを有するプレキャストコンクリートブロック１を前記中空部が水平方向の向きとなる配置で基礎コンクリート上２に複数段積み重ねてアプローチ部Ｃの傾斜面を形成していること、及びプレキャストコンクリートブロック１はその垂直壁１１（及び擁壁部１０）が柱構造となるように、上下のプレキャストコンクリートブロック１、１の垂直壁１１（及び擁壁部１０）が上下方向に一枚板を形成する配置に積み重ねることに変わりはない。
【００２５】
上下左右に隣接するプレキャストコンクリートブロック１、１は、図７Ｂに示す構成で相互に一体化させている。即ち、各プレキャストコンクリートブロック１、１は、上下の四隅に相当する積み重ね部位に、相互に嵌り合う凹部４０と凸部４１を備えており、前記の凹部４０と凸部４１とを相互に嵌め合わせて積み重ねることにより相互に一体化した構造を実現している（請求項２に記載した発明）。符号４３は接合用モルタルを指す。
こうして、上記プレキャストコンクリートブロック１を複数段積み重ねて形成したアプローチ部Ｃの傾斜面は、最終的に、図５及び図６に示すようにコンクリート打設や路盤材、舗装材等の敷設により路面を完成する。
【実施例２】
【００２６】
図８は、請求項３に係る発明の実施例であって、積み重ねたプレキャストコンクリートブロック１、１を、固結材３１と応力伝達部材３０とで相互に一体化させた構成を特徴とする。
即ち、中空構造で１０ｍ程度の材軸長さを有する大型のプレキャストコンクリートブロック１をその中空部が水平方向の向きとなる配置で基礎コンクリート２上に複数段積み重ねアプローチ部Ｃの傾斜面を形成すること、及び各プレキャストコンクリートブロック１、１はその垂直壁１１（及び擁壁部１０）が柱構造となるように、上下のプレキャストコンクリートブロック１、１の垂直壁１１が上下方向に一枚板を形成する配置に積み重ねることに変わりはない。
【００２７】
本発明の場合は、プレキャストコンクリートブロック１の垂直壁１１の外面（及び擁壁部１０の外面）にスタッドの如き応力伝達部材３０を突き出させ、複数段積み重ねたプレキャストコンクリートブロック１、１の相互間に形成された空洞部にコンクリート、ソイルセメント、セメントモルタル等々の固結材３１（又は充填材）を密実に充填し、前記応力伝達部材３０を仲介として各プレキャストコンクリートブロック１…を相互に一体化構造としたことを特徴とする。
【実施例３】
【００２８】
次に、図９、図１０及び図１２は、請求項４以下に記載した発明の実施例を示す。
この実施例は、複数段積み重ねたブロック１、１相互を垂直方向及び水平方向に緊結して全体を一体化構造とし、道路構造物としての構造的安定性と耐久性を確保している。
もっとも、積み重ねたブロック１、１相互を垂直方向及び水平方向に緊結して全体を一体化構造とする手法は、上記図７Ａ及び図８の実施例においても、必要に応じて併用することが出来る。
図９は、プレキャストコンクリートブロック１…を複数段積み重ねた場合の断面構造を概念的に示し、図１０Ａ〜Ｃは、使用した中空構造プレキャストコンクリートブロック１の基本形態を代表的に示している。符号１１はブロックの垂直壁、１２は水平壁を指している。
図１０Ａは縦長形状のブロック（縦×横＝１ｍ×１ｍ程度）の例、図１０Ｂは横長形状のブロック（縦×横＝１ｍ×１．５ｍ程度）の例を示している。図１０Ｃは、図１０Ｂのブロックを基本形状を前提として、左側の垂直壁１１を垂直に延長して立ち上がらせた擁壁部１０を有する擁壁型中空構造体ブロックの例を示している。いずれのブロックも、全体形状を鳥瞰すると、図１１Ａ〜Ｆに例示したような形態であることはいうまでもない。
【００２９】
次に、図１２Ａは、上下に複数積み重ねたブロック１、１のいわゆる垂直壁１１（及び擁壁部１０）を上下に連続する一枚板状の柱構造に完成する緊結手段の実施例を具体的に示している。
上下に積み重ねるプレキャストコンクリートブロック１、１は、各々の垂直壁１１（及び擁壁部１０）が上下方向に一枚板を形成する配置に積み重ねると共に、その積み重ね部に予め用意しておいた垂直な位置決めピン１３を共通に通して横ズレを防ぐ（請求項６記載の発明）。この場合、位置決めピン１３はいずれか一方のブロックの積み重ね部に約半分を垂直に埋め込んでおき、他方のブロックの積み重ね部には垂直なピン孔を設けておいて、嵌め合わせる手法が一般的に実施される。
その上で、上下に積み重ねたプレキャストコンクリートブロック１、１は、上記したように上下方向に一枚板となる配置で積み重ねた垂直壁１１（及び擁壁部１０）の壁厚中に、上下方向に積み重ねたブロックの最下端から最上端まで共通に貫通するシース管付きＰＣ鋼線又は鋼棒１４を通す。そして、前記シース管付きＰＣ鋼線又は鋼棒１４によりプレストレスを導入して上下に積み重ねたプレキャストコンクリートブロックを最終的に相互に強固に緊結し、シース管中にグラウトを注入して恒久的な緊結を達成する。
こうした緊結は各ブロック１の垂直壁１１の位置毎に、又は必要に応じて一つ（又は複数）おきの緊結を行う。因みに、各ブロック１の垂直壁１１の壁厚は通例２００ｍｍ程度に製作される。
【００３０】
次に、図１２Ｂは、上記のように複数段積み重ねるプレキャストコンクリートブロック１の水平壁１２が水平方向に隣接するもの同士で一枚板を形成するように積み重ねる。その手段として、図１０Ａ〜Ｃに示している通り、各プレキャストコンクリートブロック１には、その垂直壁１１と水平壁１２とが形成する上下左右の四隅における外隅部のうちのいずれか一方、図１０の場合は上位の外隅部に、各プレキャストコンクリートブロック１の水平壁１２が水平方向に隣接するもの同士で一枚板を形成する積み重ねを可能にする深さ（つまり水平壁１２の厚さ相当＝約１００ｍｍ）の段差部１６を形成し、この段差部１６を利用した積み重ねを行う（図９、図１２Ｂ）。必然的に水平壁１２と垂直壁１１との内隅部には補強のためのハンチ部１７が形成される。
【００３１】
上記のようにして水平方向に隣接するプレキャストコンクリートブロック１、１の水平壁１２が一枚板を形成する配置で積み重ねられた水平壁１２中にも、シース管付きＰＣ鋼線又は鋼棒１８を、アプローチ部Ｃの一方の外壁面から他方の外壁面まで共通に道路横断方向に貫通させる。そして、このシース管付きＰＣ鋼線又は鋼棒１８によりプレストレスを導入した上で、水平方向に隣接するプレキャストコンクリートブロック１、１同士を最終的に相互に強固に緊結する。その後、シース管中にグラウトを注入して恒久的な緊結を達成する。
こうした緊結は各ブロック１の水平壁１２の位置毎に、又は必要に応じて一つ（又は複数）おきの緊結を行う。
【００３２】
なお、上記したようにして材軸方向に１０ｍに及ぶ長さの大型プレキャストコンクリートブロック１を複数段積み重ねる際に、材軸方向端部の構造的な一体性を確保する処理として、各プレキャストコンクリートブロック１の材軸方向に隣接する端部には、図１３に示したように、各ブロック１の材軸方向端部に上下に互い違いに噛み合う相欠き２０を形成する。そして、材軸方向に隣接するプレキャストコンクリートブロック１、１同士は、前記の相欠き２０、２０を上下に重ね合わせる段継ぎにより接合し鉛直方向の剪断力に抵抗させる。
【００３３】
上記のようにしてプレキャストコンクリートブロック１を複数段積み重ねて形成したアプローチ部Ｃの傾斜面は、最終的には図５Ａ〜Ｃ及び図６Ａ、Ｂに示したように、プレキャストコンクリートブロック１、１の間隔部分として発生する凹部にコンクリート２１を打設して埋めると共に、必要な路盤材、舗装材等を敷設して路面を完成することは、上記の各実施例と同じである。
【００３４】
なお、本発明は、以上に説明した各実施例に限定されるものではなく、その要旨及び技術的思想を逸脱しない範囲で種々な態様で実施されるものであることを念のために付言する。
【図面の簡単な説明】
【００３５】
【図１】立体交差の高架道路の全体を示す立面図である。
【図２】アプローチ部の側面図である。
【図３】ブロックを多段に積み重ねたアプローチ部の施工概要を示す斜視図である。
【図４】ブロックを多段に積み重ねるアプローチ部の施工要領図である。
【図５】Ａ〜Ｃは図２のＩ〜III矢視の断面図である。
【図６】Ａ、Ｂは図２のIV、Ｖ矢視の断面図である。
【図７】Ａ、Ｂは本発明の実施例１を示したアプローチ部の断面図、及びブロックの積み重ね部の構造詳細図である。
【図８】本発明の実施例２を示した断面図である。
【図９】本発明の実施例３を示した断面図である。
【図１０】Ａ〜Ｃはブロックの基本形態を示した断面図である。
【図１１】Ａ〜Ｆは本発明の方法で使用するプレキャストコンクリートブロックの種々な形態を示す斜視図である。
【図１２】ＡとＢは積み重ねたブロックの垂直壁及び水平壁の緊結構造を示した断面図である。
【図１３】ブロックの材軸方向の接続構造を示す斜視図である。
【符号の説明】
【００３６】
Ｃ          アプローチ部
１          プレキャストコンクリートブロック
２          基礎コンクリート
１１        垂直壁
４０        凹部
４１        凸部
１３        位置決めピン
１４        シース管付きＰＣ鋼線又は鋼棒
２１        コンクリート
１２        水平壁
１８        シース管付きＰＣ鋼線又は鋼棒
１０        擁壁部
３０        応力伝達部材
３１        固結材
１６        段差部
２０        相欠き  
【図１】
2006028758.tif 000003
【図２】
2006028758.tif 000004
【図３】
2006028758.tif 000005
【図４】
2006028758.tif 000006
【図５】
2006028758.tif 000007
【図６】
2006028758.tif 000008
【図７】
2006028758.tif 000009
【図８】
2006028758.tif 000010
【図９】
2006028758.tif 000011
【図１０】
2006028758.tif 000012
【図１１】
2006028758.tif 000013
【図１２】
2006028758.tif 000014
【図１３】
2006028758.tif 000015